(57)【特許請求の範囲】
【請求項１】
収納対象物が着脱可能に収納される対象物収納部の開口部を摺動動作を経て開閉する蓋体と、
上記開口部を閉じた状態で上記蓋体をロックする蓋ロック機構と、を備えた蓋開閉装置であって、
上記蓋ロック機構は、上記蓋体の上記摺動方向と略垂直に交差する垂直方向に作用する力を加えることにより上記ロックを解除して当該蓋体の摺動動作を可能とした蓋開閉装置において、
上記蓋ロック機構は、上記蓋体に回動可能に支持されると共に当該蓋体を貫通して外部に突出されるボタン部を有する回動部材と、上記蓋体に摺動可能に支持されると共に上記回動部材の回動動作に連動して上記摺動方向と略直交する方向に摺動される摺動部材と、この摺動部材の摺動により上記ロックを解除するロック部材と、を有すると共に、
上記蓋体は上記ロック部材に対して摺動可能に取り付けられ、
上記ロック部材は、機器本体に固定される本体側部材とヒンジ結合されると共に上記開口部を常に開く方向に付勢されていて、
上記蓋体を上記開口部を閉じた位置から上記ロックを解除し摺動動作をさせた位置で回動動作が可能となり、付勢されて略９０度蓋体が回動されて開いた状態となり、
上記蓋体が開いた状態において、上記蓋体が上記機器本体と当接するようにして、上記蓋体を直立した状態に保持されて、
上記蓋体が直立した状態では、上記摺動部材と上記ロック部材とが係合されて上記蓋体の上記ロック部材に対するスライド動作をさせないようにして、
この状態から上記蓋体を回動させ、上記開口部を覆うようにしたときには、上記ロック部材が上記本体側部材に当接して上記摺動部材が移動することにより上記蓋体の上記ロック部材に対するスライド動作が可能となる
よう構成したことを特徴とする蓋開閉装置。
【請求項２】
上記回動部材には、その回動方向に傾斜された斜面を有する入力部を設けると共に、上記摺動部材には、上記入力部に対応した斜面を有する作用部を設け、上記入力部から上記作用部に力を伝達させて回動部材の回動運動を摺動部材の摺動運動に変換させるようにしたことを特徴とする請求項１記載の蓋開閉装置。
【請求項３】
上記摺動部材は、第１の弾性部材によって常時ロック側に付勢されていることを特徴とする請求項１記載の蓋開閉装置。
【請求項４】
収納対象物が着脱可能に収納される対象物収納部の開口部を摺動動作を経て開閉する蓋体と、上記開口部を閉じた状態で上記蓋体をロックする蓋ロック機構と、を有し、
上記蓋ロック機構は、上記蓋体の上記摺動方向と略垂直に交差する垂直方向に作用する力を加えることにより上記ロックを解除して当該蓋体の摺動動作を可能とした蓋開閉装置を備えた電子機器において、
上記蓋ロック機構は、上記蓋体に回動可能に支持されると共に当該蓋体を貫通して外部に突出されるボタン部を有する回動部材と、上記蓋体に摺動可能に支持されると共に上記回動部材の回動動作に連動して上記摺動方向と略直交する方向に摺動される摺動部材と、この摺動部材の摺動により上記ロックを解除するロック部材と、を有すると共に、
上記蓋体は上記ロック部材に対して摺動可能に取り付けられ、
上記ロック部材は、機器本体に固定される本体側部材とヒンジ結合されると共に上記開口部を常に開く方向に付勢されていて、
上記蓋体を上記開口部を閉じた位置から上記ロックを解除し摺動動作をさせた位置で回動動作が可能となり、付勢されて略９０度蓋体が回動されて開いた状態となり、
上記蓋体が開いた状態において、上記蓋体が上記機器本体と当接するようにして、上記蓋体を直立した状態に保持されて、
上記蓋体が直立した状態では、上記摺動部材と上記ロック部材とが係合されて上記蓋体の上記ロック部材に対するスライド動作をさせないようにして、
この状態から上記蓋体を回動させ、上記開口部を覆うようにしたときには、上記ロック部材が上記本体側部材に当接して上記摺動部材が移動することにより上記蓋体の上記ロック部材に対するスライド動作が可能となる
よう構成したことを特徴とする蓋開閉装置を備えた電子機器。
【請求項５】
上記蓋開閉装置を備えた電子機器は、デジタルスチルカメラであることを特徴とする請求項４記載の蓋開閉装置を備えた電子機器。
【発明の詳細な説明】
【０００１】
【発明の属する技術分野】
本発明は、収納対象物として、例えば、バッテリーパックや乾電池等の携帯用電源、或いは、テープカセットやディスクカセット等の記録用媒体、その他の物品を着脱可能に収納できるようにした電子機器に関し、特に、これらの収納対象物が収納される対象物収納部の開口部を開閉する蓋体の蓋開閉装置及び当該蓋開閉装置を備えた電子機器に関するものである。
【０００２】
【従来の技術】
従来、一般に、バッテリーパックを携帯用電源として用いて、このバッテリーパックを収納対象物として着脱可能に収納できるようにした電子機器としては、例えば、電子式デジタルスチルカメラ（以下「デジタルスチルカメラ」という。）等が知られている。このデジタルスチルカメラは、像を光として捕らえるレンズ部と、このレンズ部を通過してきた光の像を電気信号（デジタル信号）に変換する光電変換部と、そのデジタル信号を処理する信号処理部等を有し、写真を撮るカメラとしての基本性能に加えて、撮ったその場ですぐ再生できる等の機能を備えている。
【０００３】
図１６Ａ〜Ｃは、このデジタルスチルカメラの要部を示すもので、バッテリーパック１が着脱可能に収納されるバッテリー収納部２及び、このバッテリー収納部２の開口部２ａを開閉する蓋体３が現されている。バッテリー収納部２は、デジタルスチルカメラの機器本体４の一側に設けられており、その開口部２ａは機器本体４の下面に設定されている。このバッテリー収納部２の開口部２ａは、機器本体４に取り付けられた蓋体３によって開閉可能とされている。この蓋体３は、機器本体４に対して回動可能に支持されていると共に前後方向へ所定量だけ摺動可能に構成されている。
【０００４】
また、蓋体３には、この蓋体３が誤って開かれるのを防止するための蓋ロック機構が設けられている。この蓋ロック機構は、蓋体３に摺動可能に支持された摺動部材を有し、この摺動部材にはボタン部５とロック部とが設けられている。摺動部材のボタン部５は、蓋体３を貫通して下面側に突出されて外部から摺動操作が可能とされている。このボタン部５を操作して摺動部材をスライド動作させることにより、ロック部がロック位置とアンロック位置とに切り換えられる。
【０００５】
このような構成を有する蓋開閉装置の開閉動作は、図１６Ａ〜Ｃに示すようにして行われる。図１６Ａは、バッテリー収納部２の開口部２ａが蓋体３によって閉じられている状態、同図Ｂは、蓋体３を開放操作した後バッテリーパック１を開口部２ａから挿入する状態、同図Ｃは、バッテリー収納部２にバッテリーパック１を収納した後蓋体３を閉じる状態を示すそれぞれ説明図である。
【０００６】
蓋体３を開放操作する場合には、図１６Ａに示すように、蓋体３の下面凹部内に突出された摺動部材のボタン部５を、矢印Ｓ１で示すように横方向にスライド動作させる。その結果、摺動部材のロック部がアンロック位置に移動し、蓋体３の面方向（機器本体４の底面と同じ水平方向）における前方へのスライド動作が可能となる。そこで、同図Ａにおいて矢印Ｓ２で示すように、蓋体３を機器本体４の前方へ所定量だけスライドさせる。これにより、蓋体３の回動操作が可能となる。そこで、同図Ａにおいて矢印Ｓ３で示すように、蓋体３を前側に倒すように回動させる。その結果、同図Ｂに示すように、開口部２ａが開かれてバッテリー収納部２が露出される。
【０００７】
この開口部２ａにバッテリーパック１の挿入側を臨ませ、同図Ｂにおいて矢印Ｓ４で示すように、バッテリーパック１をバッテリー収納部２内に挿入する。これにより、バッテリーパック１が機器本体４内の所定位置に収納される。
【０００８】
次に、蓋体３を閉じる場合について説明する。この場合は、同図Ｃに示すように、まず、蓋体３を矢印Ｓ５のように回動させ、機器本体４の底面と同一平面上に移動させる。このとき、蓋体３の先端部は機器本体４の前面よりも所定量だけ前方へ突出されている。次に、同図Ｃにおいて矢印Ｓ６で示す方向に蓋体３を押圧して機器本体４側にスライドさせる。これにより、蓋体３が閉じられて同図Ａに示す状態に戻り、バッテリー収納部２の開口部２ａが蓋体３によって閉じられる。
【０００９】
【発明が解決しようとする課題】
しかしながら、このような従来の蓋開閉装置においては、蓋体３を開くためにその蓋体３を摺動させる方向と、この蓋体３の誤った開放操作を防止するために設けた蓋ロック機構を操作するためのボタン部５の摺動方向とが、同一平面内において互いに直交する方向となるように構成されていた。そのため、蓋体３を開放操作する場合には、まず、ボタン部５を横方向へスライド動作させて蓋ロック機構による蓋体３のロックを解除し、次に、蓋体３を機器本体４の前側へスライド動作させることにより、蓋体３が開かれてバッテリー収納部２の開口部２ａが開放されるようになっていた。
【００１０】
その結果、蓋体３を開放操作するためには、ボタン部５の摺動操作と蓋体３の摺動操作との２段階の操作が必要であって、そのボタン部５の摺動方向が横方向であるのに対して蓋体３の摺動方向が前方向であり、その操作方向が同一平面内において異なる方向に設定されていたため、蓋体３の操作方法が複雑になっていた。従って、操作方法の説明を受けていない初めて使用するユーザーにおいては「開け方がわからない」、「開け難い」等の不具合を生じるという課題があった。
【００１１】
本発明は、かかる従来の課題に鑑みてなされたものであり、蓋ロック機構の操作方向を蓋体の操作方向に合せ、蓋ロック機構による蓋体のロックを解除しながら蓋体を移動させることができる構成とすることにより、上記課題を解決することを目的としている。
【００１２】
【課題を解決するための手段】
上述したような課題等を解決し、上記目的を達成するために、本発明の請求項１記載の蓋開閉装置は、収納対象物が着脱可能に収納される対象物収納部の開口部を摺動動作を経て開閉する蓋体と、開口部を閉じた状態で蓋体をロックする蓋ロック機構と、を備えた蓋開閉装置であって、蓋ロック機構は、蓋体の摺動方向と略垂直に交差する垂直方向に作用する力を加えることによりロックを解除して蓋体の摺動動作を可能とした蓋開閉装置において、蓋ロック機構は、蓋体に回動可能に支持されると共に蓋体を貫通して外部に突出されるボタン部を有する回動部材と、蓋体に摺動可能に支持されると共に回動部材の回動動作に連動して摺動方向と略直交する方向に摺動される摺動部材と、この摺動部材の摺動によりロックを解除するロック部材と、を有すると共に、蓋体はロック部材に対して摺動可能に取り付けられ、ロック部材は、機器本体に固定される本体側部材とヒンジ結合されると共に開口部を常に開く方向に付勢されていて、蓋体を開口部を閉じた位置からロックを解除し摺動動作をさせた位置で回動動作が可能となり、付勢されて略９０度蓋体が回動されて開いた状態となり、蓋体が開いた状態において、蓋体が機器本体と当接するようにして、蓋体を直立した状態に保持されて、蓋体が直立した状態では、摺動部材とロック部材とが係合されて蓋体のロック部材に対するスライド動作をさせないようにして、この状態から蓋体を回動させ、開口部を覆うようにしたときには、ロック部材が本体側部材に当接して摺動部材が移動することにより蓋体のロック部材に対するスライド動作が可能となるよう構成したことを特徴としている。
【００１４】
本発明の請求項２記載の蓋開閉装置は、回動部材には、その回動方向に傾斜された斜面を有する入力部を設けると共に、摺動部材には、入力部に対応した斜面を有する作用部を設け、入力部から作用部に力を伝達させて回動部材の回動運動を摺動部材の摺動運動に変換させるようにしたことを特徴としている。
【００１５】
本発明の請求項３記載の蓋開閉装置は、摺動部材は、第１の弾性部材によって常時ロック側に付勢されていることを特徴としている。
【００１６】
本発明の請求項４記載の蓋開閉装置を備えた電子機器は、収納対象物が着脱可能に収納される対象物収納部の開口部を摺動動作を経て開閉する蓋体と、開口部を閉じた状態で蓋体をロックする蓋ロック機構と、を有し、蓋ロック機構は、蓋体の摺動方向と略垂直に交差する垂直方向に作用する力を加えることによりロックを解除して蓋体の摺動動作を可能とした蓋開閉装置を備えた電子機器において、蓋ロック機構は、蓋体に回動可能に支持されると共に蓋体を貫通して外部に突出されるボタン部を有する回動部材と、蓋体に摺動可能に支持されると共に回動部材の回動動作に連動して摺動方向と略直交する方向に摺動される摺動部材と、この摺動部材の摺動によりロックを解除するロック部材と、を有すると共に、蓋体はロック部材に対して摺動可能に取り付けられ、ロック部材は、機器本体に固定される本体側部材とヒンジ結合されると共に開口部を常に開く方向に付勢されていて、蓋体を開口部を閉じた位置からロックを解除し摺動動作をさせた位置で回動動作が可能となり、付勢されて略９０度蓋体が回動されて開いた状態となり、蓋体が開いた状態において、蓋体が機器本体と当接するようにして、蓋体を直立した状態に保持されて、蓋体が直立した状態では、摺動部材とロック部材とが係合されて蓋体のロック部材に対するスライド動作をさせないようにして、この状態から蓋体を回動させ、開口部を覆うようにしたときには、ロック部材が本体側部材に当接して摺動部材が移動することにより蓋体のロック部材に対するスライド動作が可能となるよう構成したことを特徴としている。
また、本発明の請求項５記載の蓋開閉装置を備えた電子機器は、蓋開閉装置を備えた電子機器は、デジタルスチルカメラであることを特徴としている。
【００１７】
上述のように構成したことにより、本発明の請求項１記載の蓋開閉装置では、蓋体をロックする蓋ロック機構に対して蓋体の摺動方向と略垂直に交差する垂直方向に作用する力を加えることにより、蓋ロック機構のロックを解除して蓋体の摺動動作を可能とすることができる。また、蓋ロック機構は回動部材と摺動部材とロック部材とを有し、ボタン部を押して摺動部材をスライド動作させることにより、ロック部材によるロックが解除されて蓋体の開放操作が可能となる。更にロック部材は、本体側部材とヒンジ結合されると共に開口部を常に開く方向に付勢されており、蓋体を摺動動作させると、開口部を開放した状態、即ち、蓋体を機器本体と当接するようにして直立した状態に保持することができる。また、蓋体が直立した状態では、摺動部材とロック部材とが係合されて蓋体のスライド動作を阻止し、その状態から蓋体を回動させて開口部を覆うときには、ロック部材が本体側部材に当接して摺動部材が移動することにより蓋体のロック部材に対するスライド動作が可能となる。
【００１９】
本発明の請求項２記載の蓋開閉装置では、回動部材を押圧することにより入力部から摺動部材の作用部に運動が伝達され、回動部材の回動運動が摺動部材の摺動運動に変換されて蓋体の開放操作が可能となる。
【００２０】
本発明の請求項３記載の蓋開閉装置では、第１の弾性部材によって摺動部材が常時ロック位置側に付勢され、蓋ロック機構によるロック状態を確保することができる。
【００２１】
本発明の請求項４記載の蓋開閉装置を備えた電子機器では、蓋体をロックする蓋ロック機構に対して蓋体の摺動方向と略垂直に交差する垂直方向に作用する力を加えることにより、蓋ロック機構のロックを解除して蓋体の摺動動作を可能とすることができる。また、蓋ロック機構は回動部材と摺動部材とロック部材とを有し、ボタン部を押して摺動部材をスライド動作させることにより、ロック部材によるロックが解除されて蓋体の開放操作が可能となる。更にロック部材は、本体側部材とヒンジ結合されると共に開口部を常に開く方向に付勢されており、蓋体を摺動動作させると、開口部を開放した状態、即ち、蓋体を機器本体と当接するようにして直立した状態に保持することができる蓋開閉装置を備えた電子機器を提供することができる。更に、蓋体が直立した状態では、摺動部材とロック部材とが係合されて蓋体のスライド動作を阻止し、その状態から蓋体を回動させて開口部を覆うときには、ロック部材が本体側部材に当接して摺動部材が移動することにより蓋体のロック部材に対するスライド動作が可能となる。
また、本発明の請求項５記載の蓋開閉装置を備えた電子機器では、摺動部材をスライド動作させることにより、ロック部材によるロックが解除されて蓋体の摺動動作及び開放操作を可能とすることができると共に、蓋体を機器本体と当接するようにして直立した状態に保持することができる蓋開閉装置を備えたデジタルスチルカメラを提供することができる。
【００２２】
【発明の実施の形態】
以下、本発明の実施の形態を図面を参照して説明する。図１〜図１５は、本発明の実施の一例を示すもので、電子機器の一具体例を示すデジタルスチルカメラに適用したものである。
【００２３】
即ち、図１は本発明の一実施例に係るデジタルスチルカメラを下面側から見た斜視図、図２は図１に示すデジタルスチルカメラに記録用媒体であるＦＤ（フロッピーディスク）を挿入する状態を示す正面側から見た斜視図、図３〜図６は図１に示すデジタルスチルカメラの要部を示すもので、バッテリー収納部の開口部を開閉する蓋体の動作を示すそれぞれ説明図、図７は図１等に示す蓋体の分解斜視図、図８は蓋体を正面側から見た斜視図、図９〜図１５は蓋体を背面側から見たもので蓋ロック機構の動作を示すそれぞれ説明図である。
【００２４】
尚、この発明が適用可能な電子機器の他の具体例としては、例えば、デジタルビデオカメラレコーダ（カメラ一体型ビデオテープレコーダ）、電子ブックプレーヤ、デジタルフォトプリンタ、カラービデオプリンタ、パーソナルコンピュータ等を挙げることができる。また、この実施例では、収納対象物の一具体例としてバッテリーパックを適用した例について説明するが、その他にも、乾電池その他の携帯用電源は勿論のこと、テープカセットやディスクカセットその他の記録用媒体、その他この種の電子機器に対して着脱可能に装着される各種の物品を適用することができる。
【００２５】
デジタルスチルカメラ１０は、図１及び図２に示すように、略長方形をなす筐体からなる機器本体１１を備えている。この機器本体１１は、正面側である前半分を形成するフロントケース１１ａと、背面側である後半分を形成するリアケース１１ｂとを有している。両ケース１１ａ，１１ｂを重ね合わせた後、固定ねじ等の固着手段を用いて結合することにより、機器本体１１が分解可能に組み立てられている。この機器本体１１の内部に、レンズ部と光電変換部と信号処理部等の機構や装置が内蔵されている。
【００２６】
この機器本体１１のフロントケース１１ａには、図２に示すように、上部の一側に配置されたレンズ部の対物レンズ１２が露出されており、フォーカスリング１３を回動することによって焦点合わせを行うことができる。この対物レンズ１２の近傍には、発光装置の発光部１４と、音声記録装置のマイクロホン１５が配設されている。更に、機器本体１１の上部の他側にはシャッタボタン１６が配置されている。
【００２７】
また、機器本体１１のリアケース１１ｂには、図１に示すように、レンズ部を通過して光電変換部に入力された画像を表示する液晶ディスプレイ１８が上部の略中央部に取り付けられている。このリアケース１１ｂの液晶ディスプレイ１８の一側には、電源スイッチ１９とズームレバー２０とが配置されている。このズームレバー２０を操作することにより、画像を劣化させることなくズームアップを行うことができる。このリアケース１１ｂの液晶ディスプレイ１８の他側には、液晶ディスプレイ１８のためのバックライトスイッチ２１と、液晶ディスプレイ１８の明るさを調整するためのブライトボタン２２と、音量を調整するためのボリュームボタン２３とが配置されている。
【００２８】
更に、リアケース１１ｂの液晶ディスプレイ１８の下側には、プレイ（再生）とスチル（静止画）とムービー（動画）との３機能のうちから任意の機能を選択することができる機能切換スイッチ２４と、その他の機能を選択することができるコントロールボタン２５とが配置されている。そして、リアケース１１ｂの下部において、ボリュームボタン２３の下側にはスピーカー２６が内蔵され、他側である電源スイッチ１９の下側にはディスクイジェクトレバー２７が配置されている。ディスクイジェクトレバー２７は、機器本体１１の一側から出し入れされる記録用媒体であるフロッピーディスク（ＦＤ）２８を排出するためのものである。
【００２９】
ＦＤ２８が出し入れされるディスク挿入口２９はフロントケース１１ａとリアケース１１ｂとの接合部に設定されていて、上下方向に細長く形成されたスリット状の開口部からなっている。このディスク挿入口２８の奥にディスク収納部が設定されており、機器本体１１内においてディスク収納部の前側にバッテリー収納部３０が設けられている。このバッテリー収納部３０の前面側を形成するフロントケース１１ａの一側部は、収納されるバッテリーパック３１の大きさ及び形状に合わせて蒲鉾状に膨出されている。このフロントケース１１ａの上下方向に延びる膨出部３２が、機器本体１１を把持するための把持部とされている。
【００３０】
バッテリー収納部３０は、機器本体１１の下面側に開口されていて、その底部であるフロントケース１１ａの上部には、図示しないが、収納されたバッテリーパック３１の端子と電気的に接続される接点部と、バッテリーパック３１をバッテリー収納部３０から排出させる方向に付勢するイジェクトバネとが設けられている。このバッテリー収納部３０の開口部３０ａは、蓋開閉装置３３によって開閉自在に構成されている。
【００３１】
蓋開閉装置３３は、図３〜図６及び図７〜図１５に示すような構成とされている。即ち、蓋開閉装置３３は、蓋体３４と回動部材３５と摺動部材３６と第１の弾性部材である板バネ３７とロック部材３８とカバー部材３９と本体側部材４０と第２の弾性部材であるねじりコイルバネ４１（図５を参照）等を備えている。
【００３２】
蓋開閉装置３３の蓋体３４は、図３及び図４に示すように、バッテリー収納部３０の開口部３０ａに見合う形状とされていて、開口部３０ａを閉じた状態において機器本体１１の一部をなして同一面を形成するように構成されている。即ち、蓋体３４は、図５〜図７に示すように、機器本体１１の底面の一部となる底面部３４ａと、この底面部３４ａの一辺を縁取るように連続して立上げられた正面部３４ｂとを有し、この正面部３４ｂが膨出部３２の曲面と対応するように湾曲させて形成されている。蓋体３４の底面部３４ａは横長とされていて、その略中央部には表裏面を貫通する貫通穴４２が設けられている。
【００３３】
蓋体３４の貫通穴４２は略四角形をなす長穴からなり、図１０に示すように、底面部３４ａの外面において貫通穴４２の周囲には、回動部材３５のボタン部４３を突出させるための凹陥部４４が設けられている。この凹陥部４４の大きさは人の指先が入る程度とされていて、その正面部３４ｂ側には滑り止め用の凹凸部４４ａと、滑り止めを兼ねる円弧状の凸部からなる脚部４４ｂとが設けられている。
【００３４】
また、蓋体３４の内面には、貫通穴４２の周囲３辺を囲うようにコ字状に配置された第１〜第３の仕切り片４５ａ，４５ｂ，４５ｃが設けられている。第１の仕切り片４５ａは、貫通穴４２の正面部３４ｂ側の長辺に沿うように形成されていて、その中途部には適宜な大きさの切欠き部４６が設けられている。貫通穴４２の短辺側に対向するように配置された第２及び第３の仕切り片４５ｂ，４５ｃには、それぞれ軸受孔４７ａ，４７ｂが設けられている。そして、第３の仕切り片４５ｃには、上部が幅広とされて下部が軸受孔４７ｂに向けて収束するような傾斜面からなるガイド面４７ｃが設けられている。
【００３５】
蓋体３４の第１の仕切り片４５ａと正面部３４ｂとの間には、第１の仕切り片４５ａと平行をなすように延在された第１のガイド片４８ａが設けられている。更に、第１のガイド片４８ａと第１の仕切り片４５ａとの間には摺動部材３６を摺動可能に支持する第１の支持突条４９ａが設けられている。また、第２の仕切り片４５ｂの第１の仕切り片４５ａと反対側の端部には、第１のガイド片４８ａと平行をなすように延在された第２のガイド片４８ｂが設けられている。この第２のガイド片４８ｂの先端側には、第２の仕切り片４５ｂと平行をなすように延在された第３のガイド片４８ｃが設けられている。この第３のガイド片４８ｃの内側には第１の段部５１ａが形成されている。
【００３６】
第３のガイド片４８ｃと第２のガイド片４８ｂとの間には所定の大きさの隙間が設定されており、この隙間内には第２の支持突条４９ｂが設けられている。そして、第３のガイド片４８ｃの外部には係合爪５０が設けられている。この係合爪５０は、蓋体３４を完全に閉じた状態においてバッテリー収納部３０内に設けられたロック解除凸部６１に係合される。また、第３の仕切り片４５ｃの外側には、所定の隙間をあけて平行をなすように延在された第４のガイド片４８ｄが設けられている。この第４のガイド片４８ｄは正面部３４ｂまで延在されており、その内側には第１の段部５１ａと平行をなすように延在された第２の段部５１ｂが形成されている。
【００３７】
更に、蓋体３４の底面部３４ａの２箇所には、カバー部材３９を蓋体３４にネジ止めするためのネジ止め軸部５２ａ，５２ｂが設けられている。第１のネジ止め軸部５２ａは、第１の仕切り片４５ａの第３の仕切り片４５ｃ側に設定されている。そして、第２のネジ止め軸部５２ｂは、第１のガイド片４８ａと第３のガイド片４８ｃとが交わる部分に設定されている。
【００３８】
蓋開閉装置３３の回動部材３５は、図７及び図８Ａ〜Ｄに示すような構成とされている。この回動部材３５は、部材本体３５ａと回動軸３５ｂとを備え、部材本体３５ａにボタン部４３と入力部５３とが設けられている。回動部材３５の部材本体３５ａは略四角形をなす板状体からなり、その幅方向の一側に回動軸３５ｂが一体に設けられている。この部材本体３５ａの一面に膨出するように、ボタン部４３が一体に設けられている。ボタン部４３の大きさは、蓋体３４の貫通穴４２に緩く嵌まり込むことができる大きさとされている。そして、ボタン部４３の高さは、貫通穴４２に嵌まり込んだ状態において先端面が、蓋体３４の外面から外へ突出することのない高さとされている。
【００３９】
この回動部材３５の回動軸３５ｂは、部材本体３５ａの長手方向に沿って延在されていて、その両端から外方へ突出されている。更に、回動軸３５ｂの両端には、他の部分よりも若干小径とされた軸部３５ｃ，３５ｃが設けられている。この回動軸３５ｂと反対側において部材本体３５ａの長手方向の略中央部に入力部５３が、回動軸３５ｂから離れる方向へ突出するように設けられている。この入力部５３には、ボタン部４３側である基部を広くして先部を細くしたカム面をなす斜面５３ａが設けられている。
【００４０】
このような構成を有する回動部材３５は、回動軸３５ｂの両端に設けた軸部３５ｃ，３５ｃを第２及び第３の仕切り片４５ｂ，４５ｃに設けた軸受孔４７ａ，４７ｂに回動自在に嵌合することによって蓋体３４に取り付けられる。この組立状態において、回動部材３５のボタン部４３は貫通穴４２内に容易に嵌まり込み、このとき入力部５３は第１の仕切り片４５ａの切欠き部４６内に挿入される。そして、回動部材３５の外側に配置されるカバー部材３９により、ボタン部４３が貫通穴４２内に沈み込むのを防止している。
【００４１】
蓋開閉装置３３の摺動部材３６は、図７及び図９Ａ〜Ｃに示すような構成とされている。この摺動部材３６は、クランク状に形成されたレバー状の部材からなり、操作片３６ａと連結片３６ｂと係合片３６ｃとを備えている。摺動部材３６の操作片３６ａは、蓋体３４の第１の仕切り片４５ａと第１のガイド片４８ａとの間に摺動可能に収納されている。連結片３６ｂは操作片３６ａの一端において直交する方向に延在されており、第２の仕切り片４５ｂと第１〜第３のガイド片４８ａ〜４８ｃとで囲まれた空間内に収納されている。更に、連結片３６ｂの一端に連続された係合片３６ｃは、操作片３６ａと平行をなすよう反対側に延在され、第２のガイド片４８ｂと第３のガイド片４８ｃとの間に摺動可能に収納されている。
【００４２】
この摺動部材３６の操作片３６ａには、回動部材３５の入力部５３が嵌まり込む凹欠部５４を設け、この凹欠部５４の一側に作用部５５が設けられている。この作用部５５には、入力部５３の斜面５３ａに対応した傾斜角度を有する斜面５５ａが設けられている。これらの斜面５３ａ，５５ａは、同一平面上において作用部５５に入力部５３を係合させたときには互いに面接触するような関係となるように形成されている。この作用部５５の斜面５３ａと反対側には、斜面５３ａの傾斜側に突出する切換凸部５６が設けられている。更に、操作片３６ａの先端部には、板バネ３７が圧接されるバネ受け凸部５７が設けられている。この操作片３６ａの上面及び両側面には、接触面との間の摩擦抵抗を軽減させるための断面半円形をなす突条部５８ａ，５８ｂが設けられている。
【００４３】
この操作片３６ａと連結片３６ｂとが連続する外側の角部には、蓋体３４に設けたネジ止め軸部５２ｂとの干渉を避けるための切欠き５９が設けられている。また、係合片３６ｃの先端部には、蓋体３４をロックするロック部６０が設けられている。このロック部６０は、板バネ３７で摺動部材３６がロック側へ付勢されている状態において機器本体１１のバッテリー収納部３０内に設けられたロック解除凸部６１（図５を参照）の後方に突出して、蓋体３４をロックする役目を果たすものである。係合片３６ｃの一面であってロック部６０の内側には、操作片３６ａと同様に突条部５８ｃが設けられている。
【００４４】
蓋開閉装置３３の板バネ３７は、図７に示すような構成とされている。この板バネ３７は、短冊状に細長く形成されたバネ本体３７ａを有し、このバネ本体３７ａをＵ字状に折り曲げることによって一側に接触片３７ｂが設けられている。バネ本体３７ａの他側には、幅方向の一側に連続する固定片３７ｃと、幅方向の他側に連続する係合片３７ｄとが設けられている。固定片３７ｃには、固定ネジが挿通されるネジ穴６２ａが設けられている。また、係合片３７ｄは、スリットによって幅方向に分割されている。この係合片３７ｄのスリットをネジ止め軸部５２ａの連結部５２ｃに係合させることにより、板バネ３７の位置決めがなされている。
【００４５】
蓋開閉装置３３のロック部材３８は、図７に示すような構成とされている。このロック部材３８は、略四角形をなすプレート状の部材からなり、その一辺にはヒンジ継手の一方をなす軸受部３８ａが設けられている。このロック部材３８には、２つの開口窓６３，６４と、ネジ止め軸部５２ｂとの干渉を避けるための逃げ溝６５とが設けられている。第１の開口窓６３は、摺動部材３６の切換凸部５６と回動部材３５の入力部５３とが挿通されるものである。この第１の開口窓６３の切換凸部５６と対応する位置には、ロック位置とアンロック位置とを設定する仕切り凸部６６が設けられている。
【００４６】
第２の開口窓６４は、ネジ止め軸部５２ａの近傍を露出させるためのものである。更に、ロック部材３８の一面には、蓋体３４側の部材との摩擦抵抗を低減させるための突条部３８ｂ，３８ｂが設けられている。このロック部材３８は、蓋体３４の第３及び第４のガイド片４８ｃ，４８ｄ間に摺動可能に装着され、このロック部材３８にガイドされて蓋体３４が機器本体１１の前後方向へ所定量だけ摺動動作可能とされている。
【００４７】
蓋開閉装置３３のカバー部材３９は、図７に示すような構成とされている。このカバー部材３９は、図５及び図６に示すように、蓋体３４の内面の略全体を覆うことができる大きさ及び形状とされている。但し、カバー部材３９の一部には、摺動部材３６のロック部６０を露出させるための切欠き３９ａが設けられている。更に、カバー部材３９には２つのネジ用穴３９ｂ，３９ｂが設けられている。これらのネジ用穴３９ｂ，３９ｂに挿通される固定ネジ６７により、カバー部材３９が蓋体３４に締付固定される。
【００４８】
蓋開閉装置３３の本体側部材４０は、図１４及び図１５に示すような構成とされている。この本体側部材４０は、横長とされたプレート状の部材からなり、その幅方向の一辺にはヒンジ継手の他方をなす軸受部４０ａが設けられている。本体側部材４０の長手方向の両側部には、互いに反対方向に折り曲げられた固定片４０ｂ，４０ｃが設けられている。これら固定片４０ｂ，４０ｃを、図示しない固定ネジ等の固着手段で固定することにより、本体側部材４０が機器本体１１に取り付けられる。この本体側部材４０にロック部材３８がヒンジ結合され、このロック部材３８に蓋体３４が摺動可能に取り付けられる。
【００４９】
ロック部材３８の一対の軸受部３８ａ，３８ａは、本体側部材４０の一対の軸受部４０ａ，４０ａ間に介在される。これらの軸受部３８ａ，４０ａにヒンジ軸６８を貫通させることによってロック部材３８と本体側部材４０とがヒンジ結合され、本体側部材４０に対してロック部材３８が９０度以上回動可能とされている。更に、ロック部材３８の一対の軸受部３８ａ間にはねじりコイルバネ４１が装着されている。このねじりコイルバネ４１のコイル部の一方に連続するバネ片はロック部材３８に係止され、そのコイル部の他方に連続するバネ片は本体側部材４０に設けられたバネ受け片４０ｄに係止されている。このねじりコイルバネ４１のバネ力により、ロック部材３８は常に開口部３０ａを開く方向に付勢されている。
【００５０】
また、バッテリー収納部３０の開口部３０ａには、所定位置まで挿入されたバッテリーパック３１を係止して抜け出しを防止するためのストッパ部材７０が設けられている。このストッパ部材７０は、先端に鉤形の爪部７０ａを有し、全体に弾性を持たせて開口部３０ａの周縁部に配置されている。このストッパ部材７０の爪部７０ａは、バッテリーパック３１の移動軌跡上に突出されており、弾性体のバネ力で常時排出側に付勢されているバッテリーパック３１の背面を係止してその飛び出しを防止している。上述した回動部材３５と摺動部材３６とロック部材３８とによって蓋ロック機構が構成されている。
【００５１】
上述した蓋体３４と回動部材３５と摺動部材３６の材質としては、ＡＢＳ（アクリロニトリル・ブタジエン・スチレン樹脂）その他のプラスチックが好適であるが、アルミニウム合金その他の金属を用いることもできる。また、板バネ３７とロック部材３８とカバー部材３９と本体側部材４０の材質としては、ステンレス合金その他の金属が好適であるが、ＡＢＳその他のプラスチックを用いることもできる。
【００５２】
このような構成を有する蓋開閉装置３３は、例えば、次のようにして組み立てることができる。まず、ロック部材３８及び本体側部材４０は、予めヒンジ手段により結合して回動自在に連結させておく。これは、本体側部材４０の一対の軸受部４０ａ，４０ａ間にロック部材３８の一対の軸受部３８ａ，３８ａを介在させ、これらの穴にヒンジ軸６８を挿通させる。このとき、図１５に示すように、ロック部材３８の一対の軸受部３８ａ，３８ａ間にはねじりコイルバネ４１のコイル部を介在させておき、軸受部３８ａ及び４０ａと共通にしてヒンジ軸６８を貫通させる。そして、ねじりコイルバネ４１の一方のバネ片を本体側部材４０のバネ受け片４０ｄに係止させ、他方のバネ片をロック部材３８のバネ受け孔３８ｃに係止させる。
【００５３】
次に、ロック部材３８が連結された本体側部材４０を、機器本体１１のバッテリー収納部３０内の所定位置に取り付ける。これは、本体側部材４０の固定片４０ｂ，４０ｃをバッテリー収納部３０内の所定位置にネジ止めすることによって行うことができる。これにより、本体側部材４０がバッテリー収納部３０内に収納され、ロック部材３８が開口部３０ａから所定量だけ突出される。
【００５４】
次に、蓋体３４に回動部材３５と摺動部材３６と板バネ３７とを逐次的に組み立てる。まず、蓋体３４に回動部材３５を取り付ける。これは、蓋体３４の内面に回動部材３５を臨ませ、その回動軸３５ｂの両端に設けた軸部３５ｃ，３５ｃを第２及び第３の仕切り片４５ｂ，４５ｃの軸受孔４７ａ，４７ｂに嵌合させる。そして、回動部材３５のボタン部４３を蓋体３４の貫通穴４２内に内側から嵌め込む。このとき、先に、回動軸３５ｂの一方の軸部３５ｃを第２の仕切り片４５ｂの軸受孔４７ａに係合し、次に、他方の軸部３５ｃを第３の仕切り片４５ｃのガイド面４７ｃに係合させる。その後、回動部材３５を強く押圧することにより、軸部３５ｃがガイド面４７ｃにガイドされて軸受孔４７ｂに入り込むため、両端の軸部３５ｃ，３５ｃを一対の軸受孔４７ａ，４７ｂに容易に嵌合させることができる。
【００５５】
次に、蓋体３４に板バネ３７を組み立てる。これは、板バネ３７のバネ本体３７ａに設けた係合片３７ｄのスリットを第１のネジ止め軸部５２ａの連結部５２ｃに係合させ、その状態で所定深さまで押し込むことによって実行される。これにより、板バネ３７の接触片３７ｂは、第１の仕切り片４５ａと第１のガイド片４８ａとの間の空間部に臨むことになる。
【００５６】
次に、蓋体３４に摺動部材３６を組み立てる。これは、摺動部材３６を第１及び第２の仕切り片４５ａ，４５ｂと第１〜第３のガイド片４８ａ〜４８ｃとで囲まれた空間部に臨ませ、バネ受け凸部５７で板バネ３７の接触片３７ｂを押圧するようにしてその空間部内に差し込む。これにより、接触片３７ｂの弾性によって摺動部材３６が第３のガイド片４８ｃ側に付勢され、他端に設けたロック部６０が第２のガイド片４８ｂとの間の空間部から外に突出される。そして、摺動部材３６に設けた作用部５５の斜面５５ａが回動部材３５に設けた入力部５３の斜面５３ａに当接される。この状態を示す図が、図１１である。
【００５７】
次に、回動部材３５等が組み立てられた蓋体３４をロック部材３８に組み立てる。これは、蓋体３４をロック部材３８の一面に臨ませ、第３及び第４のガイド片４８ｃ，４８ｄ間に介在させる。この状態を示す図が、図１２である。このとき、摺動部材３６に設けた切換凸部５６は第１の開口窓６３を貫通して上方へ突出し、仕切り凸部６６の一側に位置している。
【００５８】
その後、カバー部材３９をロック部材３８の上に臨ませ、固定ネジ６７で締付固定する。この状態を示す図が、図５及び図６である。これにより、蓋開閉装置３３の組立作業が完了する。
【００５９】
この組立完了状態において、図５及び図６に示すように、蓋体３４が開いているときには、摺動部材３６の切換凸部５６は、第１の開口窓６３における仕切り凸部６６の図１５に示す一方のロック位置Ｙにある。これに対して、図３に示すように、蓋体３４が閉じているときには、摺動部材３６のロック部６０がロック解除凸部６１により押圧されて切換凸部５６が仕切り凸部６６を乗り越え、図１２に示す他方のロック位置Ｚに移動する。
【００６０】
次に、この蓋開閉装置３３の開閉動作について説明する。図３に示すように、蓋体３４が完全に閉じられている状態では、摺動部材３６の切換凸部５６は、図１５に示すように、第１の開口窓６３内の仕切り凸部６６の一方のロック位置Ｙにある。このとき、摺動部材３６のロック部６０が突出していて、ロック解除凸部６１の裏面に係合されている。そのため、蓋ロック機構はロックされた状態となっており、蓋体３４を摺動させることができない。
【００６１】
この蓋体３４を開くためには、まず、図４に示すように、蓋体３４の裏面に設けた凹陥部４４内に突出されているボタン部４３を押圧する。これにより、図１３及び図１４に示すように、回動部材３５の入力部５３が押し下げられ、その回動力が入力部５３の斜面５３ａから摺動部材３６の作用部５５の斜面５５ａに伝達される。このとき、摺動部材３６は、回動部材３５の回動方向と交差する方向にのみ移動可能とされているため、斜面５３ａから斜面５５ａに伝達される力によって摺動部材３６が、板バネ３７のバネ力に抗して仕切り凸部６６から離れる方向に移動する。
【００６２】
その結果、摺動部材３６のスライド動作に伴ってロック部６０が後退し、ロック解除凸部６１との係合が解除される。そのため、蓋体３４を機器本体１１の前方へスライドさせる摺動動作が可能となる。そこで、図４に示すように蓋体３４を前方にスライドさせる。そして、蓋体３４を所定量だけ前方へスライドさせることにより、蓋体３４に設けた係合爪５０がロック解除凸部６１から外れる。その結果、蓋体３４の回動動作が可能となるため、ねじりコイルバネ４１のバネ力によって蓋体３４が開かれ、図５に示す状態となる。
【００６３】
次に、ストッパ部材７０を後方に弾性変形させて爪部７０ａによるバッテリーパック３１のロックを解除する。これにより、バッテリーパック３１は、バッテリー収納部３０の奥に設定されているバネの付勢力によって押し出され、図６に示す状態となる。このバッテリーパック３１の突出部を持って引き出すことによって、バッテリーパック３１をバッテリー収納部３０から取り出すことができる。このとき、蓋体３４が略９０度開かれた状態において、その一面が機器本体１１の底面に当接するように蓋体３４のストロークを調整しておくことにより、蓋体３４を直立した状態に保持することができる。
【００６４】
次に、蓋体３４を閉じる場合について説明する。この場合は、蓋体３４を押して前方に略９０度回動させる。これにより、蓋体３４が若干前方にずれた状態となって、開口部３０ａを覆うことになる。このとき、蓋体３４を閉じる最終段階においてロック部６０がロック解除凸部６１に当接し、このロック解除凸部６１からの反力によって摺動部材３６が板バネ３７側に摺動する。その結果、切換凸部５６が仕切り凸部６６と干渉しない位置に移動するため、蓋体３４のスライド動作が可能となる。
【００６５】
そこで、蓋体３４を押し込むことにより、蓋体３４が後方にスライドして、図３に示す閉じられた状態となる。このとき、切換凸部５６は仕切り凸部６６の他方のロック位置Ｚに移動するため、蓋体３４の開閉操作が不能となる。
【００６６】
以上説明したが、本発明は上記実施の例に限定されるものではなく、上記実施例においては、収納対象物としてバッテリーパック３１を適用した例について説明したが、乾電池その他の携帯用電源に適用できることは勿論のこと、携帯用電源以外にも、例えば、磁気テープが収納されたテープカセット、光磁気ディスクが収納されたＭＤ（ミニディスク）その他の記録用媒体等にも適用することができる。
【００６７】
また、上記実施例では、第１の弾性部材として板バネを適用したが、コイルバネやねじりバネ等の他の形式の弾性体を用いることができる。更に、第２の弾性部材としてねじりバネを適用したが、板バネやコイルバネ等の他の形式の弾性体を用いることができる。このように、本発明は、その趣旨を逸脱しない範囲で種々変更できるものである。
【００６８】
【発明の効果】
以上説明したように、本発明の請求項１記載の蓋開閉装置によれば、対象物収納部の開口部を開閉する蓋体と、回動部材と摺動部材とロック部材とからなり蓋体をロックする蓋ロック機構とを備える構成としたため、蓋体をロックする蓋ロック機構に対して蓋体の摺動方向と略垂直に交差する垂直方向に作用する力を加えることにより、蓋ロック機構の回動部材のボタン部を押して摺動部材をスライド動作させ、ロック部材のロックを解除して蓋体の摺動動作及び開放操作を可能とすることができる。これにより、蓋体の開閉操作をスムースに且つ確実に行うことができる。
しかも、蓋ロック機構のロックを解除するボタン部が倒れ込む方向と蓋体の摺動方向とを一致させるようにしたため、初めて使用するユーザーであっても、非常に分かりやすく自然的に且つ手軽に蓋体の開閉操作を行うことができ、操作性に優れた蓋開閉装置を提供することができるという効果を得ることができる。更に蓋体を機器本体と当接するようにして直立した状態に保持することにより、収納対象物の着脱操作を容易に実行できる蓋開閉装置を提供すること  ができる。また、蓋体が直立した状態では、摺動部材とロック部材とが係合されて蓋体のスライド動作を阻止し、その状態から蓋体を回動させて開口部を覆うときには、ロック部材が本体側部材に当接して摺動部材が移動することにより蓋体のロック部材に対するスライド動作が可能となるため、収納対象物の着脱操作を容易に行うことができる。
【００７０】
本発明の請求項２記載の蓋開閉装置によれば、回動部材に入力部を設けると共に摺動部材には作用部を設け、入力部から作用部に力を伝達させて運動方向を変換させる構成としたため、回動部材を押圧することによって回動部材の回動運動が摺動部材の摺動運動に変換され、蓋体の開閉操作をスムースに且つ確実に行うことができる蓋開閉装置を提供することができる。
【００７１】
本発明の請求項３記載の蓋開閉装置によれば、第１の弾性部材によって摺動部材をロック側に付勢する構成としたため、蓋ロック機構によるロック及びそのロック解除を簡単且つ確実に実行できる蓋開閉装置を提供することができる。
【００７２】
本発明の請求項４記載の蓋開閉装置を備えた電子機器によれば、対象物収納部の開口部を開閉する蓋体と、回動部材と摺動部材とロック部材とからなりこの蓋体をロックする蓋ロック機構とを備える構成としたため、蓋体をロックする蓋ロック機構に対して蓋体の摺動方向と略垂直に交差する垂直方向に作用する力を加えることにより、蓋ロック機構の回動部材のボタン部を押して摺動部材をスライド動作させ、ロック部材のロックを解除して蓋体の摺動動作及び開放操作を可能とすることができる。これにより、蓋体の開閉操作をスムースに且つ確実に行うことができる蓋開閉装置を備えた電子機器を提供することができる。
しかも、蓋ロック機構のロックを解除するボタン部が倒れ込む方向と蓋体の摺動方向とを一致させるようにしたため、初めて使用するユーザーであっても、非常に分かりやすく自然的に且つ手軽に蓋体の開閉操作を行うことができ、操作性に優れた蓋開閉装置を備えた電子機器を提供することができるという効果を得ることができる。更に蓋体を機器本体と当接するようにして直立した状態に保持することができ、蓋体が直立した状態では、摺動部材とロック部材とが係合されて蓋体のスライド動作を阻止し、その状態から蓋体を回動させて開口部を覆うときには、ロック部材が本体側部材に当接して摺動部材が移動することにより蓋体のロック部材に対するスライド動作が可能となるため、収納対象物の着脱操作を容易に実行できる蓋開閉装置を備えた電子機器を提供することができる。
また、本発明の請求項５記載の蓋開閉装置を備えた電子機器によれば、摺動部材をスライド動作させることにより、ロック部材のロックを解除して蓋体の摺動動作及び開放操作を可能とすることができ、蓋体の開閉操作をスムースに且つ確実に行うことができる蓋開閉装置を備えたデジタルスチルカメラを提供することができる。また、蓋ロック機構のロックを解除するボタン部が倒れ込む方向と蓋体の摺動方向とを一致させるようにしたため、非常に分かりやすく自然的に且つ手軽に蓋体の開閉操作を行うことができ、操作性に優れた蓋開閉装置を備えたデジタルスチルカメラを提供することができる。更に、蓋体を機器本体と当接するようにして直立した状態に保持することにより、収納対象物の着脱操作を容易に実行できる蓋開閉装置を備えたデジタルスチルカメラを提供することができる。
【図面の簡単な説明】
【図１】本発明の蓋開閉装置が用いられた電子機器の一実施例を示すもので、電子機器として適用された電子式デジタルスチルカメラを背面下方から見た状態の斜視図である。
【図２】図１に示す電子式デジタルスチルカメラに記録用媒体であるフロッピーディスクを装着する状態を示す斜視図である。
【図３】図１に示す電子式デジタルスチルカメラに適用された蓋開閉装置を示すもので、蓋体を閉じた状態の斜視図である。
【図４】図１に示す電子式デジタルスチルカメラに適用された蓋開閉装置を示すもので、蓋体を前方に摺動させた状態の斜視図である。
【図５】図１に示す電子式デジタルスチルカメラに適用された蓋開閉装置を示すもので、蓋体を上方に回動させた状態の斜視図である。
【図６】図１に示す電子式デジタルスチルカメラに適用された蓋開閉装置を示すもので、蓋体を上方に回動させた後ストッパ部材を操作してバッテリーパックを突出させた状態の斜視図である。
【図７】図１に示す電子式デジタルスチルカメラに適用された蓋開閉装置を分解して示す斜視図である。
【図８】本発明の蓋開閉装置に係る回動部材を示すもので、同図Ａは正面図、同図Ｂは平面図、同図Ｃは側面図、同図Ｄは同図ＢのＸ−Ｘ線断面図である。
【図９】本発明の蓋開閉装置に係る摺動部材を示すもので、同図Ａは平面図、同図Ｂは正面図、同図Ｃは側面図である。
【図１０】本発明の蓋開閉装置に係る蓋体を外側から見たもので、ボタン部を押す前の状態の斜視図である。
【図１１】本発明の蓋開閉装置に係る蓋体を内側から見たもので、ボタン部を押す前の状態の斜視図である。
【図１２】本発明の蓋開閉装置を内側から見たもので、切換凸起が第２のロック位置Ｚにロックされた状態の斜視図である。
【図１３】本発明の蓋開閉装置に係る蓋体を内側から見たもので、ボタン部を押した状態の斜視図である。
【図１４】本発明の蓋開閉装置を内側から見たもので、切換凸起が第２のロック位置Ｚから外れてロックが解除された状態の斜視図である。
【図１５】本発明の蓋開閉装置を内側から見たもので、切換凸起が第１のロック位置Ｙにロックされる状態の斜視図である。
【図１６】従来の蓋開閉装置を示すもので、同図Ａは蓋体を閉じた状態、同図Ｂは蓋体を開いてバッテリーパックを挿入する状態、同図Ｃは蓋体を閉じる状態、を示すそれぞれ斜視図である。
【符号の説明】
１０  デジタルスチルカメラ（電子機器）、  １１  機器本体、  ３０  バッテリー収納部（対象物収納部）、  ３１  バッテリーパック（収納対象物）、  ３３  蓋開閉装置、  ３４  蓋体、  ３５  回動部材、  ３５ｃ  軸部、  ３６摺動部材、  ３７  板バネ（第１の弾性部材）、  ３７ｂ  接触片、  ３８  ロック部材、  ３９  カバー部材、  ４０  本体側部材、  ４１  ねじりコイルバネ（第２の弾性部材）、  ４３  ボタン部、  ４５ａ，４５ｂ，４５ｃ  仕切り片、  ４７ａ，４７ｂ  軸受孔、  ４８ａ，４８ｂ，４８ｃ，４８ｄ  ガイド片、  ５３  入力部、  ５５  作用部、  ５６  切換凸部、  ６０  ロック部、６１  ロック解除凸部、  ６３  開口窓、  ６６  仕切り凸部、  ７０  ストッパ部材、  Ｙ，Ｚ  ロック位置
【図１】
0003695220.tif 000002
【図２】
0003695220.tif 000003
【図３】
0003695220.tif 000004
【図４】
0003695220.tif 000005
【図５】
0003695220.tif 000006
【図６】
0003695220.tif 000007
【図７】
0003695220.tif 000008
【図８】
0003695220.tif 000009
【図９】
0003695220.tif 000010
【図１０】
0003695220.tif 000011
【図１１】
0003695220.tif 000012
【図１２】
0003695220.tif 000013
【図１３】
0003695220.tif 000014
【図１４】
0003695220.tif 000015
【図１５】
0003695220.tif 000016
【図１６】
0003695220.tif 000017